(57)【要約】【課題】従来品では、吸盤タイプのお碗を押し棒で変形させ繰り返し行うことは、大変な作業であったし、また、空気ポンプ以外に本体に設けた圧搾ポンプを使用する方法もあったが、構造が複雑化し、価格が高くなり操作も面倒な点があった。【解決手段】清掃貫通除去装置１は、空気ポンプ１０で空気ホース１０aに空気注入管４bより水が保持力栓９の遅延孔６cを通り空間部９aに水によって充填されたことで保持力栓９は、膨張し生活排水径路内１４を漏洩なく密閉し保持される。継続して空気ポンプ１０で送り続け限界圧力になると圧力栓８が外れ充填した水は勢いよく噴出部６から噴射し生活排水径路内の圧力は急激に上がり詰まりの原因の付着・堆積物が吹き飛ばされ、遅延孔６ｃが保持力栓９のタイムラグを作ることで、噴射後に自動的に収縮し元に戻り生活排水径路内から脱着が容易となる。【選択図】  図１
2004197382.tif 000002
【特許請求の範囲】
【請求項１】
圧力部の圧力容器と、空気を充填される空気吸入管を設けた基管体の上部開口部と圧力容器の開口部とが螺着され、噴出管の上部開口部に近設する支持具と、下部開口部に密栓する圧力栓上に係止部を設け、該係止部とを適宜長さの線材の両端に係止し、上部開口部の間に介在する可撓性を有する弾性体管が挿着され、噴出管に保持力栓を設けことを特徴とする生活排水口径路内の堆積物の詰まりを解消、且つ付着物の除去を行う清掃貫通除去装置
【請求項２】
前記の噴出管の側部に遅延孔を有し該遅延孔上に両開口部を内側内部に屈曲部を形成した保持力栓を冠着し密着することで空間部を形成したことを特徴とした請求項１記載の清掃貫通除去装置
【請求項３】
請求項１記載の清掃貫通除去装置において、基管体の上部開口部に螺刻を形成する代わりに、中央に穿設し突設部に形成したペットボトルキャップを具備したペットボトル等の圧力容器を螺挿する清掃貫通除去装置
【発明の詳細な説明】
【０００１】
【産業上の利用分野】浴室の洗い場、洗面所の生活排水系路内の排水中に含まれる石鹸カスや水垢等の付着物や堆積物が叉は、トラップ部の管壁に付着物の除去に要していた労力を軽減し且つ、廉く提供する。
【０００２】
【従来の技術】従来、住宅等の排水管の詰まりを解消する道具として、一般的な吸盤タイプの貫通具が用いられている。この押し棒の先端部に弾性体の吸盤が固定される。例えば、トイレや風呂場の排水管に詰まりを生じた場合、排水口に吸盤を押し当て、押し棒で繰り返し上下運動を繰り返し行うことで吸盤を変形させ排水管内に圧力に変動を与えて詰まりの原因となる堆積物の詰まりを解消する。
【０００３】また、特開２０００-２５７１３２（図９）に開示された貫通装置１は、筒体２の先端にジョイント管３によって導入管４が取り付けられる。筒体２内には、操作棒５によって往復運動可能なピストン栓６が設けられる。導入管４の先端部には弾性体からなる筒栓７が取り付けられる。排水管の堆積物の詰まりを取り除く場合、空気注入管８によって筒栓７を膨張させ、排水管と導入管４との隙間を塞ぎ、ピストン栓６を下に移動することで生活排水系路内に水圧を繰り返し与え除去しようとしていた。
【０００４】また、生活排水系路内に薬品等で、除去物に付着させ化学反応で起させるやり方と、家庭内のホースに噴射ノズルの形状をし水道水の圧力で、除去物の除去をさせるパイプクリーナ等が提供されていた。
【０００５】
【発明が解決しようとする課題】従来品では、貫通具の吸盤タイプ押したり引っ張ることで、生活排水系路内に負・正圧を交互に繰り返す行うことで、堆積物の詰まりに脈圧を加え除去するやり方で、これは、吸盤タイプのお碗を形成したもので押し棒で変形させ繰り返し脈圧を変化させるやり方でしたが、吸盤を変形した分の僅かな圧力変化しか生じないため堆積物の詰まりの解消は、大変な労力であった。
【０００６】また、特開２０００-２５７１３２（図９）は、水を入れ、ピストン栓６と操作棒５が連動し水を圧縮し該操作棒５で回動操作することで、生活排水径路内の水に脈圧力を加え付着物の詰まりを解消するのですが、人間の手の操作で、圧力を繰り返し加えることで、堆積物の詰まりの解消を行っていたが、労力のいる点が大いなる欠点である。
【０００７】そして、前記の作業するために２系統のポンプが必要になる、その一つに生活排水径路内の圧力を上げる為の本体の圧搾ポンプと、もう一つは、生活排水径路内の密閉性を増すための筒体に空気を送る空気ポンプを必要とする。また、空気ポンプは家庭内に常備あり、生活排水径路内の圧力を上げる為の圧搾ポンプは、本体に設けるために該圧搾ポンプに使用する部品等のピストン栓や基筒の気密性を増す構造となり、且つ、ピストン栓を動かす補助レバーの機構も必要になり構造が複雑化となり価格に跳ね返る。また、除去作業が終了した場合、筒体を生活排水系路内から抜くため空気ポンプで充填した空気を筒栓７から抜かなくては、ならないので面倒臭いし操作が増えるので掃除する人達には、使いにくい欠点がある。
【０００８】また、除去物が生活排水径路内に堆積物が詰まった場合を除いた生活排水径路内の付着物の除去は、構造上から言って困難で、使用目的が限られてくる。なぜなら、生活排水径路内に堆積物が詰まってないと該生活排水径路内の圧力を高めることができないため。また、洗面所の排水口、だいぶ口径が小さく、従来の導入管では、挿入不可のため使用できない。
【０００９】従来品のパイプクリーナは、管内に圧力水を送り、その水圧により、除去する方法もたくさん存在していたし、また、薬品等で、化学反応で起こしや水り方もありましたが、化学薬品が付着以外は、除去はされなく生活排水系路内の付着物には、きれいに除去できないのが現状である。
【００１０】本発明は、前記の目的を達成するため空気ポンプで圧力容器内の圧搾空気で水を瞬間的に噴射させ、同時に空気も、生活排水系路内の圧力を瞬間的に上げ堆積物の詰まりを吹き飛ばし解消する。また、排水管の内面に付着した、水垢、石鹸の付着物の吹き飛ばし除去し、且つ生活排水径路内から清掃貫通除去装置の容易に挿脱可能にした。また、本体の圧搾ポンプが必要となるため、気密性、強度性が必要となり構造が複雑化し価格にも跳ね返ってくるので、費用対効果は、良い方向にころばない。これら問題点を解決するために清掃貫通除去装置を提供することを目的とする。
【００１１】今まで説明に使用した図面符号は、これ以下の図面符号とは、必ず一致するものではない。
【００１２】
【発明が解決するための手段】上記目的を達成するために本発明の清掃貫通除去装置は、噴出部６の開口部から適宜量の水が充填され次に該噴出部６に圧力栓８を密栓した後に生活排水系路内１４の清掃貫通除去装置１の噴出部６をに挿入する。次に、圧力容器２に充填し空気ポンプ１０で空気ホース１０aに空気注入管４bより圧力容器２内に空気が充填することで、水が保持力栓９の遅延孔６cを通り空間部９aに水によって充填されたことで保持力栓９は、膨張し生活排水径路内を漏洩なく密着しつつ清掃貫通除去装置の噴出部６を保持される。継続して空気ポンプ１０で送り続け内部圧力が増すことで圧力栓８が外れ充填した水は勢いよく噴出部６から噴射し生活排水径路内の圧力は急激に上がり堆積物がの詰まりが解消され且つ、水の急激な噴出により付着の除去も行う。次に、清掃貫通除去装置１の内部圧力１４の急激な圧力低下で、空間部９aの圧力依りも遅延孔６ｃが形成するために圧力を保持続けようと、圧力の低下のタイムラグ（Time  Lag）が生じ保持力栓９の保持力は、生活排水径路内１４に水が噴出した後、生活排水系路内１４に時間内保持続ける。その数秒後で、保持力栓９の空間部９aの水は保持力栓９の弾性力による収縮力が生じ、遅延孔６cから噴出管６a内に排出され、保持力栓９は、自動的に収縮し元に戻り生活排水径路内から容易に脱着可能となる。
【発明の実施の形態】以下本発明に係る清掃貫通除去装置１について、図面に示す実施例に基づいて説明する。まず、実施例の図１より清掃貫通除去装置１の外観図の斜視図である。該清掃貫通除去装置１を大きく分けると圧力部２、基管部３、噴出部６に三つに分けられる。
【００１３】実施例の図２より清掃貫通除去装置１の構成部品等を示した図で、まず、前記で説明したように清掃貫通除去装置１を大きく分けると圧力部２、基管部３、噴出部６からなり、圧力部２の部品は、ペットボトル等からなり容器類から構成され、基管部３の構成部品は、基管材４、漏洩防止材４a,空気注入管４b、弾性体部５、そして、噴出部６の構成部品には、噴出管６a、支持具６b、遅延孔６c、素線７、止め具７a、圧力栓８、係止部８a、保持力栓９で構成される。
【００１４】まず、基管体４の上部開口部に圧力容器２と、基管体３の上部開口部にゴム等からなる弾性体叉は、樹脂等からなる漏洩防止材４aが内部に嵌着した後に基管体３の上部開口部と圧力容器２の開口部で螺着することで該漏洩防止材４aは、挟持され漏洩なく密着される。また、空気注入管４ｂを側部に設けた基管体４の下部開口部は、ゴム等からなる弾性体の弾性体部５の開口部一端に接着材等からなる結合材で内側に塗布し密着され、且つ、噴出部６の噴出管６aの上部開口部に近設する支持具６bが側部から押圧挿着され前記の弾性体部５の開口部他端に接着材等からなる結合材で両開口部の内側に塗布し密着される。このことで、基管体４と噴出管６aの間に介在する弾性体部５によって一体化となり屈曲可能になる。
【００１５】前記噴出管６aの下部開口部には、ゴム等からなる弾性体、そしてゴム栓の形状し一面に抵抗の少ない流線形８ｃを形成し係止部８aが係止する。圧力栓８の上部に係止部８aと前記説明した支持具６bの間に介在した適宜長さのワイヤー等からなる線材７の両端を各々の部品等に係合し止め具７aで係止し、また、前記の適宜長とは、ここでは、前記圧力栓８が噴出管の開口部から抜け、空気や水が噴出可能な線材７の長さを言う。次に、噴出管６aの側部に、圧力の低下のタイムラグを生じ遅延孔６cが形成され、保持力、気密性の両方を兼ね備えた膨張可能な保持力栓９の両端の側縁を、内部内側に屈曲した該屈曲部９ｂに接着材等からなる結合材で塗布し遅延孔６cを挿着冠着することで空間部９aが形成し結合材等で噴出管６aに係止され密着する。
【００１６】次に、実施形態の図３より、水（圧力容器内のドットで示し以下省略する。）を充填した場合の清掃貫通除去装置１の挙動を説明する。まず、噴出管６aの開口部に圧力栓８で密栓する。次に、噴出管６aの開口部から、適量の水を充填するか、叉は、圧力容器２内に適量の水を充填し圧力容器２と基管体３は螺合する。どちらから水を充填しても可能である。次に、空気ポンプ１０（手押しポンプ、足踏ポンプの２種類ありどちらを使用しても可能である。）より空気ホース１０a、そして空気注入管４ｂと空気が流れる空気経路１０ｂを形成され清掃貫通除去装置１の内部に、空気は導かれ充填され圧力容器２の上部に形成する空気室２aの圧力を上昇させ、該圧力容器２内の前もって充填していた水の水面を該空気室２aの空気圧で圧縮することで清掃貫通除去装置１の内部は上昇し圧力栓８の流線形８ｂ上に水圧力が加わる。
【００１７】実施形態の図４（a）より清掃貫通除去装置１の保持力栓９の挙動を説明する。前記説明した空気室２aの圧力が上昇すると、清掃貫通除去装置１内の圧力が上昇し噴出管６aに形成する遅延孔６cを経て保持力栓９内の空間部９aに水が矢印Aのように流入する、と同時に屈曲部９ｂを内側に曲げることは、空間部９aに水圧が加わりパスカルの原理により、屈曲部９ｂの上部に水圧が加わり、噴射管６aに圧力で押圧されることで気密性が極端に良くなり、パスカルの原理によりすべて均等な圧力で円周方向に膨張し続ける。
【００１８】次に、実施形態の図４（ｂ）より、圧力栓８が限界圧力になった場合の保持力栓９の挙動を説明する。まず、空気を充填し続け噴出管６aの下部開口部に圧力栓８で密栓しているので、前もって充填していた水は、空間部９aに矢印Aのように空間部９a水が流入し続け保持力栓８は、すべて均等な圧力で円周方向に特に膨張し空気を入れ続けることで、更に膨張し生活排水径路内１４に当る。空気が更に充填すると保持力栓９の膨張は、強制的に生活排水径路内１４に当り強制的に停止され、徐々に清掃貫通除去装置１の内部の圧力が上昇し限界圧力に接近する。
【００１９】更に空気を充填し続け噴出管６aの下部開口部に密栓した、圧力栓８の流線形８ｃ上に水圧力が加わり、限界圧力になったときに密栓状態の均衡が破れ、圧力栓８は、勢いよく抜けるが圧力栓８は、流線形８ｃを形成しているので、抜けた後に圧力水は流線形８ｃに当りながら通るときに水圧力の抵抗を少なくしている。また、発射と同時に圧縮された空気で水が噴出し噴出管６aに矢印Bの反作用が生じるが、ここで清掃貫通除去装置１の内部圧力は圧力栓８と同時に急激に低下するが、保持力栓９の空間部９aの圧力は、保持力栓９の弾性力により空間部９aも縮小し細い遅延孔６ｃから圧力水（Aの逆方向）が流れる抵抗のため清掃貫通除去装置１の内部は、急激な圧力低下に対し空間部９aは、急激な圧力変化は、生じなく徐々に圧力低下となる、要するに圧力低下にタイムラグが生じる。この為、清掃貫通除去装置１の噴出部６は、生活排水径路内１４に保持された為に反作用Bが解消される。また、自動的に保持力栓９の弾性力で空間部９aに流入した水は、遅延孔６cを経て噴出管６aに内に流れ保持力栓９は、縮小し元に戻り生活排水径路内１４から清掃貫通除去装置１の噴射部６を容易に脱着できる。
【００２０】また、限界圧力で圧力栓８の流線形８ｃ上に、水圧力が加わり勢い良く発射するが支持具６bとの間に介在する、線材７が伸びきったところで圧力栓８aの移動は、抑止され、前記で説明したように噴射部６を脱着と共に線材７により圧力栓８もいっしょに取り出される。
【００２１】実施形態の図５より実際の風呂場で使用した場合の説明をする。浴槽の水を抜かない状態にし清掃貫通除去装置１に適量の水を入れ噴出管６aを吸入口１２に圧力容器２の上部を持ち水面から吸入口１２を挿入し柔軟性のある弾性体部５は、曲がりながら先頭部の噴出部６を保持力栓９の長さ全部が吸入口１２から挿入し清掃貫通除去装置１から手を放す。次に、空気ポンプ１０から空気ホース１０a、空気吸入管４aと内部に、空気径路１０ｂを形成し清掃貫通除去装置１内に導かれ空気は、圧力容器２の空気室２aの圧力を上昇させ、且つ、清掃貫通除去装置１の水の圧力も上昇し始まる。清掃貫通除去装置１内に空気を充填することで保持力栓９は膨張し続け、吸入口１２aに当たり密着すると強制的に膨張は、停止しその後も空気ポンプ１０で、空気を充填し続け清掃貫通除去装置１内の圧力が上昇し続け、限界圧力になると、圧力栓８は、噴出管６aから勢いよく抜けた後に圧力栓８ｂで停止する。同時に高圧になった空気圧により勢いよく水が噴射し、圧力栓８の流線形８ｃに当りながら通り抜け付着物に当り付着物Cが除去され、且つ、空気圧は、吸入口１２aから抜けで排出されるが空気圧で噴出した水の反作用Bは、噴出している間は、吸入口１２に圧力栓８の圧力により密着保持され付着物は除去し、そして、清掃貫通除去装置１の噴出管６aの圧力栓８は、弾性力に依り自動的に縮小し元に戻り吸入口１２から、噴出部６が容易に脱着でき、圧力栓８もいっしょに取り出される。その後に、浴槽の水を排水栓１２bから抜き同時に付着物Cも吸入口１２ｂより排出される。
【００２２】次は、実施形態の図６より実際の風呂場の堆積物Dが生活排水経路内１４で詰まった場合の説明をする。排水口１５から該生活排水経路内１４に水を一杯に充填する。前記同様に清掃貫通除去装置１に適量の水を入れ噴出部６を排水口１５に挿入し、次に、空気ポンプ１０で清掃貫通除去装置１に空気を送り充填すると保持力栓９は、膨張し続け排水口１５に当たり密着状態になり、圧力容器２を手で軽く押さえる程度で清掃貫通除去装置１を立設し且つ、前記の密着状態は生活排水経路内１４の水の逃げ場所が無くなる、ようするに密閉された水空間が形成され、更に空気を充填し続け限界圧力になると圧力栓８は発射し圧力栓８ｃまで移動は停止するが、その時に生活排水経路内１４の密閉した空間も急激な圧力上昇が生じパスカルの原理により堆積物Dに急激な圧力が加わることで圧力水に吹き飛ばされ詰まりは解消される。それと同時に反作用Bが、水を噴出している間は、排水口１５に保持力栓９で保持され、清掃貫通除去装置１の噴出部６の保持力栓栓８は、弾性力に依り自動的に縮小し元に戻り排水口１５から、噴出部６が容易に脱着でき、係合している圧力栓８もいっしょに取り出される。
【００２３】実施形態の図７より実際の洗面所の生活排水経路内１４に付着物が内部側面に場合の除去方法を説明するが、今までとは勝手口が違い排出口１３の孔が噴出管６aより小さい場合は、該噴出管６aは挿入できない場合の除去方法を説明する。
【００２４】まず、最初に異形結合体１１の説明をする。円柱形の両端開口部の一方に狭窄を形成する狭窄部１１ｂを有する。清掃貫通除去装置１の噴出管６aに異形結合体１１の開口部に挿入し空気ポンプ１０で空気径路１０ｂにより清掃貫通除去装置１内の圧力が上昇され保持力栓９は膨張し続け、異形結合体１１の側部に当ると、強制的に膨張は停止し軽く異形結合体１１を保持したようになる。次に、該異形結合体１１の狭窄部１１ｂを排水口１５に挿入し、空気ポンプ１０で空気を送り込み手で押さえた清掃貫通除去装置１内の圧力が上昇し続け、水圧力で圧力栓８は、勢いよく抜け圧力栓８ｂまで移動し線材７に抑止され停止し圧力水と空気でトラップ１６の付着物Cに当り除去され終了する。この場合の空気ポンプ１０は足踏みポンプで行う。
【００２５】図８よりリサイクルの一環として、圧力容器２をペットボトルと同時に基管体４の上部開口部に螺刻を形成したが、今回は基管体４の上部開口部に螺設を形成しなく突設部１７aを形成するように中央に穿設しペットボトルキャップ１７を圧入して結合材で密着させたことで該ペットボトルキャップ１７の螺設を利用しペットボトル２を螺挿しペットボトル２の突設部２aがペットボトルキャップ１７の突設部１７a当り漏洩なきように係止する。
【００２６】
【発明の効果】従来品より複雑な部品もなく機構もなく構造が簡単であるため部品数の数も少なくて済むので安価に提供できる。例えば圧力容器にペットボトル等を使用すれば価格はもっと下げられリサイクル利用の一部として利用でき、また、費用対効果のあることは、火見るより明らかである。また、清掃貫通除去装置の操作もすごく簡単で、家庭内で常備もっている空気ポンプで空気を充填することで生活排水経路内の保持力栓に密着保持され、急激な圧力が加わることで該生活排水経路内は、圧力が急激に上がり堆積物の詰まりは、解消される。且つ、自動的に保持力栓は、縮小され元に戻り、余計な操作なく排水口から脱着が容易で手軽なので老若男女問わず扱いやすく操作性の良いので一般の人達からも受けられやすい清掃貫通除去装置を提供する。
【図面の簡単な説明】
【図１】実施例１の清掃貫通除去装置の斜視図である。
【図２】実施例２の清掃貫通除去装置の断面図である。
【図３】実施例３の実際に水を入れた場合の清掃貫通除去装置の断面図である。
【図４】実施例４(a),(b)は、保持力栓の挙動説明図である。
【図５】実施例５は、風呂場での使用例の説明図である。
【図６】実施例６は、風呂場の排水口の説明図である。
【図７】異形の排水口の説明図である。
【図８】ペットボトル栓を使用した場合の断面図の説明である。
【図９】従来品の図面である。
【符号の説明】
１  清掃貫通除去装置
２  圧力容器
２a 突設部
２a  空気室
３  基管部
４  基管体
４a  漏洩防止材
４b  空気注入管
５  弾性体部
６  噴出部
６a  噴出管
６b  支持具
６c  連絡孔
７    線材
７a  止め具
８  圧力栓
８a  係止部
８b 噴射後の圧力栓の位置
８c 流線形
９  保持力栓
９a  空間部
９b  屈曲部
１０  空気ポンプ
１０a  空気ホース
１０b  空気径路
１１  異形結合体
１１a  狭窄部
１１b  孔
１２  吸入口
１２a  排出口
１２b  排水栓
１３  排水口
１４  生活排水径路内
１５排水口
１６  トラップ
１７  ペットボトルキャップ
１７a 突設部
A  矢印
B  反作用
C  付着物
D  堆積物
【図１】
2004197382.tif 000003
【図２】
2004197382.tif 000004
【図３】
2004197382.tif 000005
【図４】
2004197382.tif 000006
【図５】
2004197382.tif 000007
【図６】
2004197382.tif 000008
【図７】
2004197382.tif 000009
【図８】
2004197382.tif 000010
【図９】
2004197382.tif 000011